(57)【要約】      （修正有）【課題】周知のＣＰＡ構造体構成のうちのいくつかは、嵌合コネクタの不注意の分離に対する抵抗力が不足すること、及び／又は、ＣＰＡ構造体は、嵌合コネクタが抜去されることを可能にする位置にあるという誤った指示を技術者に与えることを防止する。【解決手段】コネクタアセンブリ１０は、第１のコネクタ部品１２と、第２のコネクタ部品１４と、コネクタ位置保証構造体１６とを具備する。偏向防止タブ及び偏向防止突出部が、コネクタアセンブリ１０の残りの部分に対するコネクタ位置保証構造体１６の移動を調整するためにコネクタアセンブリ１０で用いられる。【選択図】図１
2014170746.tif 000002
【特許請求の範囲】
【請求項１】
第１の端子の組を収容するように構成され、調整突出部を有する第１のコネクタ部品と、
第２の端子の組を収容するように構成され、前記第１の端子の組と前記第２の端子の組とが互いに係合される完全係合位置で前記第１のコネクタ部品と係合するように構成され、ロック部材を有する第２のコネクタ部品と、
前記第２のコネクタ部品に摺動可能に装着され、前記第２のコネクタ部品が前記完全係合位置にあるときのみ第１の位置から第２の位置に移動可能であり、それによって、前記第１のコネクタ部品と前記第２のコネクタ部品との分離を妨げるコネクタ位置保証構造体とを具備し、
前記コネクタ位置保証構造体は、ロック用フィンガー部と、前記ロック用フィンガー部に固定されて連結された摺動部とを有し、前記ロック用フィンガー部は、ロック用タブと、偏向防止タブとを有し、
前記ロック用タブは、前記コネクタ位置保証構造体が前記第１の位置にあるとき、前記第２のコネクタ部品上の前記ロック用部材の第１の側面に当接するように構成され、前記ロック用タブは、前記コネクタ位置保証構造体が前記第２の位置にあり、かつ、前記第２のコネクタ部品が前記完全係合位置にあるとき、前記第２のコネクタ部品上の前記ロック用部材の第２の反対側の側面に当接するように構成され、
前記調整突出部は、前記コネクタ位置保証構造体が前記第２の位置へ移動されることができるように前記ロック用タブと前記ロック用部材との位置をずらすために、前記第２のコネクタ部品が前記完全係合位置にあり、かつ、前記コネクタ位置保証構造体が前記第１の位置にあるとき、前記ロック用タブに接触し、
前記偏向防止タブは、前記コネクタ位置保証構造体が前記第２の位置にあり、かつ、前記第２のコネクタ部品が前記完全係合位置にあるとき、前記第２のコネクタ部品上の偏向防止突出部に接触し、それによって、前記コネクタ位置保証構造体が前記第２の位置にあるとき、前記ロック部材からの前記ロック用タブの係合解除を妨げ、
前記ロック用フィンガー部は、前記調整突出部が前記ロック部材に接して完全に着座することを可能にするために、前記コネクタ位置保証構造体が前記第２の位置にあり、かつ、前記第２のコネクタ部品が前記完全係合位置にあるとき、前記調整突出部から離間しているコネクタアセンブリ。
【請求項２】
前記摺動部は、前記コネクタ位置保証構造体が前記第２の位置にあり、かつ、前記第２のコネクタ部品が前記完全係合位置にあるとき、前記第２のコネクタ部品で複数の摺動部レールを係合し、
前記摺動部は、前記コネクタ位置保証構造体が前記第２の位置から前記第１の位置に向かって前記ロック用タブが前記ロック部材を係合解除することを可能にする量だけ移動されたとき、前記第２のコネクタ部品上で前記複数の摺動部レールを係合解除するように構成されている請求項１のコネクタアセンブリ。
【請求項３】
前記摺動部は、前記第１の位置と前記第２の位置との間で前記摺動部を押し進めるために手動入力を受けるように適合された摺動部入力部材を有する請求項２のコネクタアセンブリ。
【請求項４】
前記複数の摺動部レールは、前記摺動部の反対側の横側面を支持する１対の側面レールを有する請求項３のコネクタアセンブリ。
【請求項５】
前記摺動部入力部材は、前記側面レールの間に側面に沿って配置されている請求項４のコネクタアセンブリ。
【請求項６】
前記複数の摺動部レールは、前記コネクタ位置保証構造体が前記第２の位置にあるとき、前記コネクタ位置保証構造体の中に形成されたポケットに受けられる中央レールを有する請求項３のコネクタアセンブリ。
【請求項７】
前記ロック用フィンガー部は、前記コネクタ保証位置構造体が周りを摺動する軸に沿って延在し、前記摺動部は、前記軸とほぼ垂直に配置されている請求項２のコネクタアセンブリ。
【請求項８】
第１の端子の組と、
前記第１の端子の組を収容し、調整突出部を有する第１のコネクタ部品と、
第２の端子の組と、
前記第２の端子の組を収容し、前記第１及び第２の端子の組が互いに係合される完全係合位置で前記第１のコネクタ部品を係合するように構成され、ロック部材を有する第２のコネクタ部品と、
前記第２のコネクタ部品に摺動可能に装着され、前記第２のコネクタ部品が前記完全係合位置にあるときのみ第１の位置から第２の位置に移動可能であり、それによって、前記第１及び第２のコネクタ部品の分離を妨げるコネクタ位置保証構造体とを具備し、
前記コネクタ位置保証構造体は、ロック用フィンガー部と、前記ロック用フィンガー部に固定されて連結された摺動部とを有し、前記ロック用フィンガー部は、ロック用タブ及び偏向防止タブを有し、前記ロック用タブは、前記コネクタ位置保証構造体が前記第１の位置にあるとき前記第２のコネクタ部品上の前記ロック用部材の第１の側面に当接するように構成され、前記ロック用タブは、前記コネクタ位置保証構造体が前記第２の位置にあり、かつ、前記第２のコネクタ部品が前記完全係合位置にあるとき、前記第２のコネクタ部品上の前記ロック用部材の第２の反対側の側面に当接するように構成され、前記調整突出部は、前記コネクタ位置保証構造体が前記第２の位置へ移動させられ得るように前記ロック用タブと前記ロック用部材との位置をずらすために、前記第２のコネクタ部品が前記完全係合位置にあり、かつ、前記コネクタ位置保証構造体が前記第１の位置にあるとき、前記ロック用タブに接触し、前記偏向防止タブは、前記コネクタ位置保証構造体が前記第２の位置にあり、かつ、前記第２のコネクタ部品が前記完全係合位置にあるとき、前記第２のコネクタ部品上の偏向防止突出部に接触し、それによって、前記コネクタ位置保証構造体が前記第２の位置にあるとき、前記ロック部材からの前記ロック用タブの係合解除を妨げ、前記ロック用フィンガー部は、前記調整突出部が前記ロック部材に接して完全に着座することを可能にするために、前記コネクタ位置保証構造体が前記第２の位置にあり、かつ、前記第２のコネクタ部品が前記完全係合位置にあるとき、前記調整突出部から離間しているコネクタアセンブリ。
【請求項９】
前記摺動部は、前記コネクタ位置保証構造体が前記第２の位置にあり、かつ、前記第２のコネクタ部品が前記完全係合位置にあるとき、前記第２のコネクタ部品で複数の摺動部レールを係合し、前記摺動部は、前記コネクタ位置保証構造体が前記第２の位置から前記第１の位置に向かって前記ロック用タブが前記ロック部材を係合解除することを可能にする量だけ移動させられるとき、前記第２のコネクタ部品上で前記複数の摺動部レールを係合解除するように構成されている請求項８のコネクタアセンブリ。
【請求項１０】
前記摺動部は、前記第１の位置と前記第２の位置との間で前記摺動部を押し進めるために手動入力を受けるように適合された摺動部入力部材を有する請求項９のコネクタアセンブリ。
【請求項１１】
前記複数の摺動部レールは、前記摺動部の反対側の横側面を支持する１対の側面レールを有する請求項１０のコネクタアセンブリ。
【請求項１２】
前記摺動部入力部材は、前記側面レールの間に側面に沿って配置されている請求項１１のコネクタアセンブリ。
【請求項１３】
前記複数の摺動部レールは、前記コネクタ位置保証構造体が前記第２の位置にあるとき、前記コネクタ位置保証構造体の中に形成されたポケットに受けられる中央レールを有する請求項１０のコネクタアセンブリ。
【請求項１４】
前記ロック用フィンガー部は、前記コネクタ保証位置構造体が周りを摺動する軸に沿って延在し、前記摺動部は、前記軸とほぼ垂直に配置されている請求項９のコネクタアセンブリ。
【請求項１５】
完全係合位置で互いに係合するように構成された第１及び第２のコネクタ部品と、
第１の位置と第２の位置との間の移動のため前記第２のコネクタ部品に摺動可能に装着され、前記第１及び第２のコネクタ部品が前記完全係合位置で互いに係合するとき前記第１の位置から前記第２の位置に移動可能であり、前記第２のコネクタ部品上のロック部材の第１の側面に接触するように構成され、それによって、前記第１及び第２のコネクタ部品が前記完全係合位置で互いに係合されていないとき前記第１の位置から前記第２の位置への移動を妨げ、前記第２の位置から前記第１の位置に移動されることを妨げるために前記ロック部材の第２の側面に接触するように構成されたコネクタ位置保証構造体とを具備し、
前記第１のコネクタ部品は、コネクタ位置保証構造体が前記第１及び第２のコネクタ部品が前記完全係合位置で互いに係合されているとき前記第１の位置から前記第２の位置に移動させられ得るように、前記ロック部材から離れる向きに前記コネクタ位置保証構造体を押し進めるように構成された調整突出部を有し、
前記調整突出部は、前記コネクタ位置保証構造体が前記第２の位置にあり、かつ、前記第１及び第２のコネクタ部品が前記完全係合位置で互いに係合されているとき、前記ロック部材の前記第１の側面に接して配置され、
前記コネクタ位置保証構造体は、前記コネクタ位置保証構造体が前記第２の位置にあり、かつ、前記第２のコネクタ部品が前記完全係合位置で互いに係合されているとき、前記調整突出部に接触することがないコネクタアセンブリ。
【発明の詳細な説明】
【技術分野】
【０００１】
本開示は、コネクタ位置保証安定装置を備えたコネクタアセンブリに関する。
【背景技術】
【０００２】
このセクションは、必ずしも従来技術ではない本開示に関連する背景情報を提供する。
【０００３】
コネクタ位置保証（ＣＰＡ）構造体を備えたコネクタアセンブリが技術的に知られている。このようなＣＰＡ構造体は、代表的には、第１の１対の嵌合コネクタに摺動可能に連結され、第１の位置と第２の位置との間で第１のコネクタに対して移動可能である。ＣＰＡ構造体は、１対の嵌合コネクタが完全に嵌合しているときのみ第２の位置に移動可能である。さらに、ＣＰＡ構造体は、この１対の嵌合コネクタの分離に抵抗する手段として用いられる。この点で、１対の嵌合コネクタは、代表的には、分離に抵抗するために嵌合ロック用タブを用いる。
【０００４】
いくつかのＣＰＡ構造体構成は、嵌合コネクタの嵌合ロック用タブの間で完全係合を妨げることで知られ、及び／又は、偏向力（即ち、結果的にＣＰＡ構造体の軸方向摺動運動だけをもたらす方向以外の方向でＣＰＡ構造体に向けられた力）の適用を受けやすいことで知られている。この結果、周知のＣＰＡ構造体構成のうちのいくつかは、嵌合コネクタの不注意の分離に対する抵抗力が不足することがあり、及び／又は、ＣＰＡ構造体は、嵌合コネクタが抜去されることを可能にする位置にあるという誤った指示を技術者に与えることがある。従って、改良されたコネクタ位置保証構造体を備えたコネクタアセンブリの技術的必要性がある。
【発明の概要】
【０００５】
このセクションは、本開示の全体的な概要を提供し、全範囲について又は特徴の全てについての包括的な開示ではない。
【０００６】
一態様では、本教示は、第１のコネクタ部品と、第２のコネクタ部品と、コネクタ位置保証構造体とを具備するコネクタアセンブリを提供する。第１のコネクタ部品は、第１の端子の組を収容するように構成され、調整突出部を有する。第２のコネクタ部品は、第２の端子の組を収容するように構成され、第１の端子の組及び第２の端子の組が互いに係合される完全係合位置で第１のコネクタ部品を係合するように構成されている。第２のコネクタ部品は、ロック部材を有する。コネクタ位置保証構造体は、第２のコネクタ部品に摺動可能に装着され、第２のコネクタ部品が完全係合位置にあるときのみ第１の位置から第２の位置に移動可能であり、それによって、第１のコネクタ部品と第２のコネクタ部品との分離を妨げる。コネクタ位置保証構造体は、ロック用フィンガー部と、ロック用フィンガー部に固定されて連結された摺動部とを有する。ロック用フィンガー部は、ロック用タブと偏向防止タブとを有する。ロック用タブは、コネクタ位置保証構造体が第１の位置にあるとき第２のコネクタ部品上のロック用部材の第１の側面に当接するように構成されている。ロック用タブは、コネクタ位置保証構造体が第２の位置にあり、かつ、第２のコネクタ部品が完全係合位置にあるとき、第２のコネクタ部品上のロック用部材の第２の反対側の側面に当接するように構成されている。調整突出部は、コネクタ位置保証構造体が第２の位置に移動されることができるようにロック用タブとロック用部材との位置をずらすために、第２のコネクタ部品が完全係合位置にあり、かつ、コネクタ位置保証構造体が第１の位置にあるとき、ロック用タブに接触する。偏向防止タブは、コネクタ位置保証構造体が第２の位置にあり、かつ、第２のコネクタ部品が完全係合位置にあるとき、第２のコネクタ部品上の偏向防止突出部に接触し、それによって、コネクタ位置保証構造体が第２の位置にあるとき、ロック部材からのロック用タブの係合解除を妨げる。ロック用フィンガー部は、調整突出部がロック部材に接して完全に着座することを可能にするために、コネクタ位置保証構造体が第２の位置にあり、かつ、第２のコネクタ部品が完全係合位置にあるとき、調整突出部から離間している。
【０００７】
他の態様では、本教示は、第１の端子の組と、第１のコネクタ部品と、第２の端子の組と、第２のコネクタ部品と、コネクタ位置保証構造体とを具備するコネクタアセンブリを提供する。第１のコネクタ部品は、第１の端子の組を収容し、調整突出部を有する。第２のコネクタ部品は、第２の端子の組を収容し、第１の端子の組及び第２の端子の組が互いに係合される完全係合位置で第１のコネクタ部品を係合するように構成されている。第２のコネクタ部品は、ロック部材を有する。コネクタ位置保証構造体は、第２のコネクタ部品に摺動可能に装着され、第２のコネクタ部品が完全係合位置にあるときのみ第１の位置から第２の位置に移動可能であり、それによって、第１のコネクタ部品及び第２のコネクタ部品の分離を妨げる。コネクタ位置保証構造体は、ロック用フィンガー部と、ロック用フィンガー部に固定されて連結された摺動部とを有する。ロック用フィンガー部は、ロック用タブ及び偏向防止タブを有する。ロック用タブは、コネクタ位置保証構造体が第１の位置にあるとき第２のコネクタ部品上のロック用部材の第１の側面に当接するように構成されている。ロック用タブは、コネクタ位置保証構造体が第２の位置にあり、かつ、第２のコネクタ部品が完全係合位置にあるとき、第２のコネクタ部品上のロック用部材の第２の反対側の側面に当接するように構成されている。調整突出部は、コネクタ位置保証構造体が第２の位置へ移動されることができるようにロック用タブとロック用部材との位置をずらすために、第２のコネクタ部品が完全係合位置にあり、かつ、コネクタ位置保証構造体が第１の位置にあるとき、ロック用タブに接触する。偏向防止タブは、コネクタ位置保証構造体が第２の位置にあり、かつ、第２のコネクタ部品が完全係合位置にあるとき、第２のコネクタ部品上の偏向防止突出部に接触し、それによって、コネクタ位置保証構造体が第２の位置にあるとき、ロック部材からのロック用タブの係合解除を妨げる。ロック用フィンガー部は、調整突出部がロック部材に接して完全に着座することを可能にするために、コネクタ位置保証構造体が第２の位置にあり、かつ、第２のコネクタ部品が完全係合位置にあるとき、調整突出部から離間している。
【０００８】
さらなる適用分野は、本明細書に記載された説明から明らかである。本発明の概要の欄における説明及び特定の例は、単に例示の目的を意図し、本開示の範囲を限定することを意図しない。
【０００９】
本明細書において説明された図面は、必ずしも全ての考えられる実施ではなく、選択された実施形態の単なる例示目的のためであり、本開示の範囲を限定することを意図しない。
【図面の簡単な説明】
【００１０】
【図１】図１は、本開示の教示に従って構築された代表的なコネクタアセンブリの分解斜視図である。
【図２】図２は、完全係合位置にある第１及び第２のコネクタ部品と第２の位置にあるコネクタ位置保証構造体とを例示する図１のコネクタアセンブリの斜視図である。
【図３】図３は、部分嵌合又は係合位置にある第１及び第２のコネクタ部品と第１の位置にあるコネクタ位置保証構造体とを例示する図１のコネクタアセンブリの縦断面図である。
【図４】図４は、第２のコネクタ部品と第１の位置に配置されたコネクタ位置保証構造体とをより詳細に例示する図１のコネクタアセンブリの一部分の斜視図である。
【図５】図５は、第２のコネクタ部品及びコネクタ位置保証構造体をより詳細に例示する図１のコネクタアセンブリの一部分の分解斜視図である。
【図６】図６は、図３の断面図に類似するが、完全係合位置にある第１及び第２のコネクタ部品と第２の位置にあるコネクタ位置保証構造体とを例示する断面図である。
【発明を実施するための形態】
【００１１】
対応する符号は、図面の複数の図の全体にわたって対応する部品を指示する。
【００１２】
図面の図１並びに図２を参照すると、本開示の教示に従って構築された代表的なコネクタアセンブリは、全体として符号１０によって指示される。コネクタアセンブリ１０は、第１のコネクタ部品１２と、第２のコネクタ部品１４と、コネクタ位置保証構造体１６とを有することができる。第１及び第２のコネクタ部品１２及び１４は、挿入軸２０に沿って一体に組み立てられるように構成されている。第２のコネクタ部品１４は、図２に示される完全係合位置で第１のコネクタ部品１２に対して位置付けられている。コネクタ位置保証構造体１６は、図１に示される第１の位置と図２に示される第２の位置との間で、挿入軸２０とほぼ平行である軸２２に沿った移動のために第２のコネクタ部品１４に摺動可能に装着されている。コネクタ位置保証構造体１６は、第２のコネクタ部品１４が第１のコネクタ部品１２に対して完全係合位置にあるときのみ、第１の位置から第２の位置に移動可能であり、それによって、第１及び第２のコネクタ部品１２及び１４の切り離しを妨げる。
【００１３】
図３を参照すると、第１のコネクタ部品１２は、第１の導電性端子３０の組を収容するように構成されることができる。第１のコネクタ部品１２は、第２のコネクタ部品１４の一部を受けるように構成されたキャビティ３４を画定することができる壁部材３２を有することができる。調整突出部３６は、壁部材３２に連結されることができ、キャビティ３４の中へ延在することができる。
【００１４】
図３ないし図５を参照すると、第２のコネクタ部品１４は、第１及び第２のコネクタ部品１２及び１４が完全係合位置で係合されたとき、第１の導電性端子３０の組に電気的に連結されることができる第２の導電性端子４０の組を収容するように構成されることができる。第２のコネクタ部品１４は、ロック部材４２と、偏向防止突出部４４と、複数の摺動部レール４６とを有することができる。コネクタ位置保証構造体１６は、ロック用フィンガー部５０と、ロック用フィンガー部５０に固定されて結合されることができる摺動部５２とを有することができる。ロック用フィンガー部５０は、コネクタ位置保証構造体１６が周りを摺動する軸２２（図１）とほぼ平行に延在することができ、摺動部５２は、軸２２（図１）とほぼ垂直に配置されることができる。ロック用フィンガー部５０は、ロック用タブ６０及び偏向防止タブ６２を有することができる。ロック用タブ６０は、コネクタ位置保証構造体１６が第１の位置にあるとき、第２のコネクタ部品１４上でロック部材４２の第１の側面６８に当接するように構成されることができる。ロック用タブ６０は、コネクタ位置保証構造体１６が第２の位置にあり、かつ、第２のコネクタ部品１４が完全係合位置にあるとき、第２のコネクタ部品１４上でロック部材４２の第２の反対側の側面７０に当接するようにさらに構成されることができる。
【００１５】
第１のコネクタ部品１２上の調整突出部３６は、第２のコネクタ部品１４が完全係合位置にあり、かつ、コネクタ位置保証構造体１６が第１の位置にあるとき、ロック用タブ６０と接触することができる。調整突出部３６とロック用タブ６０との間のこのような接触は、コネクタ位置保証構造体１６が軸２２（図１）に沿って第２の位置に移動されることができるように、ロック用タブ６０とロック部材４２との位置をずらすことができる。ロック部材４２との位置がずれるロック用タブ６０の調整突出部３６の移動がない場合、第１の位置から第２の位置へ向かうコネクタ位置保証構造体１６の摺動移動は、ロック用タブ６０とロック部材４２の第１の側面６８との間の接触によって制限されることが分かるであろう。
【００１６】
図６を参照すると、偏向防止タブ６２は、コネクタ位置保証構造体１６が第２の位置にあり、かつ、第２のコネクタ部品１４が完全係合位置にあるとき、第２のコネクタ部品１４上の偏向防止突出部４４と接触することができ、これによって、コネクタ位置保証構造体１６が第２の位置にあるとき、ロック部材４２からのロック用タブ６０の係合解除を妨げる。このような手法で組み立てられたとき、ロック用フィンガー部５０は、調整つまみ３６がロック部材４２に接して完全に着座することを可能にするために、（即ち、コネクタ位置保証構造体１６が第２の位置にあり、かつ、第２のコネクタ部品１４が完全係合位置にあるとき）調整つまみ３６から離間されることができる。この点で、ロック用フィンガー部５０は、調整つまみ３６に接触することなく、この結果、調整つまみ３６をロック部材４２から遠ざけることができないことが分かるであろう。
【００１７】
図２、図３並びに図５を参照すると、摺動部５２は、コネクタ位置保証構造体１６が第２の位置にあり、かつ、第２のコネクタ部品１４が完全係合位置にあるとき、第２のコネクタ部品１４上で複数の摺動部レール４６を係合するように構成されることができる。複数の摺動部レール４６は、コネクタ位置保証構造体１６の偏向を妨げるように構成されることができ、この結果、コネクタ位置保証構造体１６は、コネクタ位置保証構造体１６が摺動部５２を複数の摺動レール４６に強く押し進める摺動部５２への力（即ち、図６に示されるように下向きの力Ｆ）の適用だけを原因としてロック部材４２の第２の側面７０を係合解除する点に偏向されることができない。摺動部５２は、コネクタ位置保証構造体１６が第２の位置から第１の位置に向かってロック用タブ６０がロック部材４２を係合解除することを可能にする量だけ移動させられるとき、第２のコネクタ部品１４上で複数の摺動部レール４６を係合解除するように構成されることができる。
【００１８】
与えられた特定の例では、複数の摺動レール４６は、中央レール８０と１対の横側面レール８２とを有し、摺動部５２は、摺動部５２を第１の位置と第２の位置との間で押し進めるために、（例えば、技術者の指からの）手動入力を受けるように構成された摺動部入力部材８６をさらに有する。摺動部入力部材８６は、複数の摺動レール４６に対して所望の位置に配置されることができるが、与えられた特定の例では、摺動部入力部材８６は、１対の横側面レール８２の間に側面に沿って配置される。中央レール８０は、ロック用フィンガー部５０とほぼ同じ線に沿って配置されることができ、コネクタ位置保証構造体１６が第２の位置にあるとき、コネクタ位置保証構造体１６の中に形成されることができるポケット９０に受けられることができる。１対の横側面レール８２は、摺動部５２の反対側の横側面９４を支持することができる。
【００１９】
実施形態の以上の説明は、例示及び説明の目的のために与えられている。網羅的であること、又は、開示を限定することは、意図されていない。特別な実施形態の個別の要素又は特徴は、概して、この特別な実施形態に限定されることなく、妥当な場合、互換性があり、具体的に図示又は記載されていない場合であっても、選択された実施形態で使用されることができる。同じことが様々に変形されることもある。このような変形は、開示からの逸脱とみなされるべきではなく、全てのこのような変更は、開示の範囲に包含されることが意図されている。
【図１】
2014170746.tif 000003
【図２】
2014170746.tif 000004
【図３】
2014170746.tif 000005
【図４】
2014170746.tif 000006
【図５】
2014170746.tif 000007
【図６】
2014170746.tif 000008
【外国語明細書】
2014170746000001.pdf